(57)【要約】本発明は、血を流した意識不明者の採血上の困難を解消し、事故現場ですぐに血液から意識不明者の血中アルコール濃度を容易に測定し、且つ被測定者の呼気からもアルコール濃度を測定することができる血中アルコール濃度測定器に関する。本発明の測定器（６０）には、血液が採集された採集モジュール（１）が結合される結合溝（８２）と、該結合溝（８２）に備えられて採集モジュール（１）に採集された血液を加熱するヒーター（８３）と、採集モジュール（１）の一面に貫通結合されて血液内で蒸発されるアルコールガスを吸入するように構成された検針ピン（９３）と、検針ピン（９３）によって流入した血液中のアルコールガスからアルコール濃度を測定するアルコール検出センサー（９１）と、が備えられる。【選択図】図２
2013536413.tif 000002
【特許請求の範囲】
【請求項１】
一側に血液が採集された採集モジュール（１）が結合される結合溝（８２）と、該結合溝（８２）に結合された採集モジュール（１）内の血液を加熱するヒーター（８３）とが備えられた第１の胴体（８０）と、
前記第１の胴体（８０）と一体又は別体に形成され、一側に突出形成されて前記採集モジュール（１）の一面を貫通してアルコールガスを吸入するように構成された検針ピン（９３）と、該検針ピン（９３）を通して吸入された血液中のアルコールガスからアルコール濃度を測定するアルコール検出センサー（９１）とが備えられた第２の胴体（９０）と、
を含むことを特徴とする血中アルコール濃度測定器。
【請求項２】
前記第２の胴体（９０）は前記第１の胴体（８０）にヒンジ連結されて前記結合溝（８２）を覆うように回動し、前記第１の胴体（８０）が第２の胴体（９０）の方に回動するときに検針ピン（９３）が結合溝（８２）に結合された採集モジュール（１）の一面を貫通するように構成されることを特徴とする請求項１に記載の血中アルコール濃度測定器。
【請求項３】
前記第１及び第２の胴体（８０、９０）に結合され前記アルコール検出センサー（９１）で測定されたアルコール濃度を表示する表示窓（７１）が形成された第３の胴体（７０）をさらに含むことを特徴とする請求項１又は２に記載の血中アルコール濃度測定器。
【請求項４】
前記第１の胴体（８０）の結合溝（８２）には、側面に検針ピン（９３）が挿入される挿入穴（１０２）が形成されたマウスピース（１００）が挿入されるマウスピース挿入溝（８４）が延長形成されることを特徴とする請求項１又は２に記載の血中アルコール濃度測定器。
【請求項５】
前記採集モジュール（１）は、一面に検針ピン（９３）が挿入される挿入口（３３）が形成され周りに血液流入孔（１１）が形成された採集容器（１０）と、該採集容器（１０）内に備えられて血液流入孔（１１）を通して流入する血液を吸収する吸収部材（２０）と、前記採集容器（１０）が収容される外部容器（４０）と、を含むことを特徴とする請求項１又は２に記載の血中アルコール濃度測定器。
【発明の詳細な説明】
【技術分野】
【０００１】
本発明は、血中アルコール濃度測定器に関し、より詳細には、自動車事故時に血を流した意識不明者の飲酒の有無及び血中アルコール濃度を現場で迅速で容易に測定し、且つ被測定者の呼気からもアルコール濃度を測定することができる血中アルコール濃度測定器に関する。
【背景技術】
【０００２】
通常、警察が飲酒検知器を用いて飲酒運転の有無を検査する場合、運転者に飲酒検知器のマウスピースを通して呼気を吹き込むようにし、呼気中のアルコールの濃度を測定して、これを外部にディスプレイする方式が主に用いられる。そして、たまには、このような飲酒検知器の正確性に異議を申し立てる運転者達に対しては、採血による飲酒測定が行われることもある。
【０００３】
しかしながら、自動車事故が発生して運転者が意識を失った場合は、呼気を吹き込むタイプの飲酒検知器を用いることができない。この場合はやむを得ず採血方式を採択するしかないが、意識のない人の血液を同意なしに採血することは法的手続きが複雑である上、相当の時間と費用がかかるという問題がある。また、採血方式は長時間を要するため、事故当時の運転者の血中アルコール濃度を正確に測定することが困難である。即ち、体内に吸収されたアルコールは０．０１５％／ｈの割合で分解されるため、長時間が経過してから測定されたアルコール濃度数値は信用できない。したがって、事故発生の当時、意識を失った被測定者から血中アルコール濃度を迅速で正確に測定する必要性が高まっている。
【発明の概要】
【発明が解決しようとする課題】
【０００４】
本発明は、前述したような問題点を解決するためのものであり、本発明の目的は、自動車事故により血を流した意識不明者の血中アルコール濃度を適法且つ迅速で容易に測定することができ、また、平常時には被測定者の呼気を用いてアルコール濃度を測定することができる血中アルコール濃度測定器を提供することにある。
【課題を解決するための手段】
【０００５】
本発明の一つの特徴によれば,一側に血液が採集された採集モジュール（１）が結合される結合溝（８２）と、該結合溝（８２）に結合された採集モジュール（１）内の血液を加熱するヒーター（８３）とが備えられた第１の胴体（６０）と、上記第１の胴体（６０）と一体又は別体に形成され、一側に突出形成されて上記採集モジュール（１）の一面を貫通してアルコールガスを吸入するように構成された検針ピン（９３）と、該検針ピン（９３）を通して吸入された血液中のアルコールガスからアルコール濃度を測定するアルコール検出センサー（９１）とが備えられた第２の胴体（９０）と、を含むことを特徴とする血中アルコール濃度測定器が提供される。
【０００６】
本発明の他の特徴によれば、上記第２の胴体（９０）は上記第１の胴体（８０）にヒンジ連結されて上記結合溝（８２）を覆うように回動し、上記第１の胴体（８０）が第２の胴体（９０）の方に回動するときに検針ピン（９３）が結合溝（８２）に結合された採集モジュール（１）の一面を貫通するように構成されることを特徴とする血中アルコール濃度測定器が提供される。
【０００７】
本発明の他の特徴によれば、上記第１又は第２の胴体（８０、９０）に結合され上記アルコール検出センサー（９１）で測定されたアルコール濃度を表示する表示窓（７１）が形成された第３の胴体（７０）をさらに含むことを特徴とする血中アルコール濃度測定器が提供される。
【０００８】
本発明のさらに他の特徴によれば、上記第１の胴体（８０）の結合溝（８２）には、側面に検針ピン（９３）が挿入される挿入穴（１０２）が形成されたマウスピース（１００）が挿入されるマウスピース挿入溝（８４）が延長形成されることを特徴とする血中アルコール濃度測定器が提供される。
【０００９】
本発明のさらに他の特徴によれば、上記採集モジュール（１）は、一面に 検針ピン（９３）が挿入される挿入口（３３）が形成され周りに血液流入孔（１１）が形成された採集容器（１０）と、該採集容器（１０）内に備えられて血液流入孔（１１）を通して流入する血液を吸収する吸収部材（２０）と、上記採集容器（１０）が収容される外部容器（４０）と、を含むことを特徴とする血中アルコール濃度測定器が提供される。
【発明の効果】
【００１０】
以上のように、本発明によれば、血液が採集された採集モジュール（１）が結合されて加熱される結合溝（８２）と、上記採集モジュール（１）の一面を貫通する検針ピン（９３）と、アルコール検出センサー（９１）を含む血中アルコール濃度測定器（６０）を提供することにより、採集モジュール（１）に 流入した血液内で蒸発されるアルコールガスが検針ピン（９３）を通してアルコール検出センサー（９１）に吸入されてアルコール濃度を測定することができるため、血を流した意識不明者のアルコール濃度を同意なしに採血をするにあたっての複雑な手続きが不要となり、事故現場ですぐに簡便に測定することができる効果がある。また、事故発生時点から短時間で測定することができるため、より正確な測定が可能となる。したがって、事故の経緯をより迅速で正確に把握することができる。
【００１１】
そして、採集モジュール（１）が結合される結合溝（８２）が形成された第１の胴体（８０）と、該第１の胴体（８０）にヒンジ連結され上記アルコール検出センサー（９１）が内蔵され上記検針ピン（９３）が突出された第２の胴体（９０）と、を含む測定器を提供することにより、第２の胴体（９０）がヒンジ回動するにつれて検針ピン（９３）が採集モジュール（１）に容易に貫通されるため、作動が簡単になり、使用が便利になる。
【００１２】
一方、上記採集モジュール（１）が、血液を吸収する吸収部材（２０）が内蔵され周りに血液流入孔（１１）が形成された採集容器（１０）と、該採集容器（１０）を収容する外部容器（４０）とで構成されることにより、事故で意識を失った被測定者の体外に排出された血液を事故現場で法的手続きなしに容易に採集することができ、血液採集時に採集容器（１０）の外周面についた血液が外部と遮断されて血液によって外部の測定器や人体が汚染されることを防止する効果がある。
【００１３】
一方、上記アルコール検出センサー（９１）の検針ピン（９３）が挿入される挿入穴（１０２）が形成されたマウスピース（１００）を備え、採集モジュール（１）の代わりにマウスピース（１００）を測定器に容易に結合することにより、平常時には被測定者の呼気を用いてアルコール濃度を測定することができるため、環境に応じて適宜選択して用いることができるという便利さがある。
【図面の簡単な説明】
【００１４】
【図１】本発明の実施例の外観斜視図である。
【図２】上記実施例の第１の胴体を回動させた状態を示す斜視図である。
【図３】上記実施例のうち測定器に挿入される採集容器の斜視図である。
【図４】採集モジュール全体の分解斜視図である。
【図５】採集モジュールの側断面図である。
【図６】測定器に採集容器を挿入する過程を示す平断面図である。
【図７】測定器に採集容器を挿入する過程を示す平断面図である。
【図８】測定器に採集容器の代わりにマウスピースを結合させたことを示す斜視図である。
【図９】測定器に採集容器の代わりにマウスピースを結合させたことを示す斜視図である。
【発明を実施するための形態】
【００１５】
以下、添付図面を参照しながら、本発明の好ましい実施例について詳細に説明する。本発明の一実施例による血中アルコール濃度測定器は、被測定者の呼気はもちろん血液からもアルコール濃度を測定することができる測定器であり、このような測定器（６０）は、図１及び２に示されているように、一側面に採集モジュール（１）が結合される結合溝（８２）が形成された第１の胴体（８０）と、該第１の胴体（８０）にヒンジ連結されて上記結合溝（８２）をカバーするように回動しアルコール検出センサー（９１）が内蔵された第２の胴体（９０）と、上記第１又は第２の胴体（８０、９０）に結合され上記アルコール検出センサー（９１）で測定されたアルコール濃度を表示する表示窓（７１）が形成された第３の胴体（７０）と、を含む。
【００１６】
上記第１の胴体（８０）は直方体状となっており、側面の一端部にはヒンジ（８１）が形成され、内側面には結合溝（８２）が形成される。第１の胴体（８０）には、結合溝（８２）の内部を加熱するヒーター（８３）が内蔵される。該ヒーター（８３）は、結合溝（８２）に挿入される採集モジュール（１）内の血液を体温と同様の温度に加熱して血液に含まれたアルコールを蒸発させる役割をし、蒸発されたアルコールはガスの状態で採集モジュール（１）に存在するようになる。一方、上記第１の胴体（８０）には、結合溝（８２）を垂直に横切るマウスピース挿入溝（８４）が形成される。
【００１７】
第２の胴体（９０）も直方体状となっており、側面の一端部が上記ヒンジ（８１）に結合されて回動し、図示されていないロック装置によって第２の胴体（９０）が第１の胴体（８０）に接した状態で結合されることができる。そして、第２の胴体（９０）には血中アルコール濃度を測定するアルコール検出センサー（９１）が備えられ、該アルコール検出センサー（９１）は、アルコールガスの濃度を検出するセンサーモジュール（９２）と、検出されたアルコール濃度を電気的信号として出力する測定モジュール（９４）と、を含む。上記センサーモジュール（９２）には、ポンプによってアルコールガスを強制に吸入するように構成された検針ピン（９３）が第１の胴体（８０）の結合溝（８２）に挿入される方向に突出形成される。上記第１の胴体（８０）の結合溝（８２）と対向する第２の胴体（９０）には、内側に後退した段差部（９５）が形成される。
【００１８】
上記第３の胴体（７０）の上面は第１の胴体（８０）の下面に結合され、該第３の胴体（７０）には上記アルコール検出センサー（９１）で測定されたアルコール濃度の数値をディスプレイする表示窓（７１）が備えられる。また、第３の胴体（７０）には、上記アルコール検出センサー（９１）の作動を制御する制御部と操作ボタン（７２）とが備えられる。
【００１９】
そして、第１の胴体（８０）の結合溝（８２）には血液を採集する採集モジュール（１）が挿入固定され、採集モジュール（１）は、採集容器（１０）と、該採集容器（１０）内に備えられる吸収部材（２０）と、採集容器（１０）を収容する外部容器（４０）と、で構成される。採集容器（１０）は、上面が開放された筒状となっている。採集容器（１０）の上端の一側には嵌合溝（１４）が形成され、採集容器（１０）の外周面には周りに沿って複数個の血液流入孔（１１）が形成される。該血液流入孔（１１）は上下に長い長孔の形態となっているが、その形状に制限はなく、血液が血液流入孔（１１）を通して内部の吸収部材（２０）に容易に吸収されるように構成すれば良い。また、採集容器（１０）の内周面の上側部には、複数個の係止溝（１３）が形成される。
【００２０】
採集容器（１０）の上面には切り取り部（３２）が形成されたつまみ（３１）が備えられた容器カバー（３０）が結合され、該つまみ（３１）は採集容器（１０）の嵌合溝（１４）に嵌まる。上記容器カバー（３０）の周面には採集容器（１０）の係止溝（１３）に係止される複数個の係止突起（３４）が形成され、容器カバー（３０）が採集容器（１０）に固定結合される。また、容器カバー（３０）には、第２の胴体（９０）に備えられたアルコール検出センサー（９１）の検針ピン（９３）が挿入される挿入口（３３）が形成される。該挿入口（３３）は、多様な形態を有し、例えば、容器カバー（３０）の上面が貫通されやすい薄板の形態を有することができる。また、挿入口（３３）は、「＋」、「＊」などの複数個のスリット又は脆弱線が交差する形態を有し、検針ピン（９２）が挿入口（３３）の交差点である中央部を貫通するようにする。したがって、容器カバー（３０）は、採集された血液が漏れることを防止し且つ検針ピン（９２）が容易に挿入されるようにする。
【００２１】
採集容器（１０）の上側の周りには、複数個の固定突起（１２）が形成される。本実施例では、容器カバー（３０）が採集容器（１０）とは別体に形成されたことを例示しているが、容器カバー（３０）が採集容器（１０）と一体に形成されても良い。
【００２２】
吸収部材（２０）は、スポンジ、綿の布などの血液を吸収できる素材からなる。さらに、吸収部材（２０）に吸収剤が添加されて血液をより迅速且つ強力に吸収するように構成されることができる。このような吸収部材（２０）は、上記採集容器（１０）の内部に充填される。
【００２３】
一方、採集容器（１０）は外部容器（４０）に収容され、外部容器（４０）の内周面の上部には周りに沿って複数個の固定溝（４１）が形成される。したがって、採集容器（１０）が外部容器（４０）に挿入されるとき、採集容器（１０）の固定突起（１２）が外部容器（４０）の固定溝（４１）に挿入されて採集容器（１０）が外部容器（４０）に固定される。これにより、採集容器（１０）で血液を採集するときに採集容器（１０）の外周面についた血液が外部と遮断され、採集容器（１０）が測定器（６０）の結合溝（８２）に挿入されるときに測定器（６０）が汚染されることを防止することができる。
【００２４】
一方、採集容器（１０）は外部容器（４０）に加圧挿入方式により結合することもできるが、採集容器（１０）が加圧されると、採集容器（１０）についた血液が押し出される可能性があるため、固定突起（１２）と固定溝（４１）による結合が好ましい。また、外部容器（４０）を完全に密閉させるカバー部材（５０）を備え、測定器（６０）によるアルコール濃度測定が完了した後、内部に採集容器（１０）が備えられた外部容器（４０）を密閉させることにより、血液の変質を防止し、臭いを遮断することができる。
【００２５】
このように構成された本発明の血中アルコール濃度測定器の作動過程を説明すると、下記の通りである。外部容器（４０）とカバー部材（５０）を除いた図３の状態で、測定者が容器カバー（３０）のつまみ（３１）をつかんで採集容器（１０）を被測定者の流した血液に接触させると、血液が採集容器（１０）の血液流入孔（１１）を通して採集容器（１０）の内部に流入する。流入した血液は、採集容器（１０）の吸収部材（２０）に吸収される。そして、採集容器（１０）の外周面に血液がつく場合は、測定者や測定器（６０）を汚染させる可能性があるため、採集容器（１０）を外部容器（４０）に入れて容器カバー（３０）のつまみ（３１）を切り取る。
【００２６】
その後、採集容器（１０）が挿入された外部容器（４０）を第１の胴体（８０）の結合溝（８２）に挿入し、第２の胴体（９０）を第１の胴体（８０）の方に回動させると、第２の胴体（９０）の検針ピン（９３）が採集容器（１０）の容器カバー（３０）の挿入口（３３）を貫通して採集容器（１０）の内部に進入する。そうすると、採集容器（１０）内の血液がヒーター（８２）によって加熱されて発生したアルコールガスが検針ピン（９３）を通してアルコール検出センサー（９１）に流入し、アルコール濃度が測定され、測定された数値が表示窓（７１）に表示される。
【００２７】
以上のように、本発明によれば、事故現場で意識不明者の同意なしに採血をするにあたっての複雑な手続きが不要となり、採集容器（１０）を用いて意識不明者が流した血液を適法且つ迅速に採集することができる。また、採血した血液のアルコール濃度を測定器を用いてすぐに測定することができるため、時間の遅延による誤差を減らし、正確なアルコール濃度を測定することができる。
【００２８】
図８及び図９は、本発明の血中アルコール濃度測定器にマウスピースを用いる方法を示すものでる。被測定者が呼気を吹き込むように構成されたマウスピース（１００）は、図示のようにＬ字状であり、第１の胴体（８０）のマウスピース挿入溝（８４）に挿入され側面が第２の胴体（９０）の段差部（９５）に接触される垂直部（１０１）と、呼気を吹き込むように構成された水平部（１０３）と、からなる。マウスピース（１００）の垂直部（１０１）には挿入穴（１０２）が形成され、上記アルコール検出センサー（９１）の検針ピン（９３）が上記挿入穴（１０２）に挿入されることにより、マウスピース（１００）の内部に流入した呼気が検針ピン（９３）を通してアルコール検出センサー（９１）に吸入されてアルコール濃度が測定され、測定されたアルコール濃度は表示窓（７１）に表示される。したがって、第１の胴体（８０）から採集モジュール（１）を除去し、マウスピース（１００）の垂直部（１０１）を第１及び第２の胴体（８０、９０）の間に嵌合し、被測定者の呼気を用いて血中アルコール濃度を測定することができる。以上のように、平常時には被測定者の呼気を用いて血中アルコール濃度を測定し、事故により運転者が出血で意識不明状態の場合は血液を用いてアルコール濃度を測定することができるという長所がある。
【図１】
2013536413.tif 000003
【図２】
2013536413.tif 000004
【図３】
2013536413.tif 000005
【図４】
2013536413.tif 000006
【図５】
2013536413.tif 000007
【図６】
2013536413.tif 000008
【図７】
2013536413.tif 000009
【図８】
2013536413.tif 000010
【図９】
2013536413.tif 000011
【国際調査報告】
2013536413.tif 000012
2013536413.tif 000013
2013536413.tif 000014
2013536413.tif 000015